(57)【特許請求の範囲】
【請求項１】
機器筐体に収容設置した内蔵アンテナを有するとともに、前記機器筐体の外表面における少なくとも前記内蔵アンテナを覆う領域に、着色層と金属蒸着層とを積層した化粧フィルムを設けて成る携帯無線機器であって、
前記化粧フィルムにおける前記金属蒸着層に、前記内蔵アンテナに送受される電波の通過を許容する間隙を設けたことを特徴とする携帯無線機器。
【請求項２】
前記金属蒸着層は、互いに連続することなく斑点状に集合した多数の点状層部を有し、隣接する点状層部の間に前記間隙が設けられていることを特徴とする請求項１記載の携帯無線機器。
【請求項３】
前記金属蒸着層は、互いに連続することなく縞状に集合した多数の線状層部を有し、隣接する線状層部の間に前記間隙が設けられていることを特徴とする請求項１記載の携帯無線機器。
【発明の詳細な説明】
【０００１】
【発明の属する技術分野】
本発明は、機器筐体に収容設置した内蔵アンテナを有するとともに、前記機器筐体の外表面における少なくとも前記内蔵アンテナを覆う領域に、着色層と金属蒸着層とを積層した化粧フィルムを設けて成る携帯無線機器に関する。
【０００２】
【従来の技術】
例えば、携帯電話機等の携帯無線機器において、昨今では、周知のインモールド成形により、着色されたフィルムを機器筐体(ケーシング)の外表面と一体成形して、上記機器筐体の外面仕上げを行なっているものがある。
【０００３】
さらに昨今では、着色層と金属蒸着層(金属蒸着箔)とから成るフィルムを、インモールド成形によって機器筐体の外表面と一体に成形し、着色層を介して金属蒸着層(金属蒸着箔)を透けて見せることで、輝度の高い金属光沢を有する外面仕上げを行なっているものがある。
【０００４】
【発明が解決しようとする課題】
ところで、機器筐体の内部に内臓アンテナを収容設置している携帯無線機器においては、上述の如く金属蒸着層(金属蒸着箔)を有するフィルムを機器筐体と一体に成形した場合、上記内蔵アンテナが金属蒸着層(金属蒸着箔)によって覆われることとなる。
【０００５】
このため、内蔵アンテナは金属蒸着層(金属蒸着箔)によってシールドされてしまい、上記内蔵アンテナに対する電波の送受信が妨害されることによって、携帯無線機器における送受信性能が著しく低下してしまう不都合があった。
【０００６】
本発明は上記実状に鑑みて、機器筐体の外表面に金属蒸着層を設けたことに起因する送受信性能の低下を未然に防止し得る携帯無線機器の提供を目的とするものである。
【０００７】
【課題を解決するための手段】
本発明に関わる電子機器筐体は、機器筐体に収容設置した内蔵アンテナを有するとともに、前記機器筐体の外表面における少なくとも前記内蔵アンテナを覆う領域に、着色層と金属蒸着層とを積層した化粧フィルムを設けて成る携帯無線機器であって、前記化粧フィルムにおける前記金属蒸着層に、前記内蔵アンテナに送受される電波の通過を許容する間隙を設けたことを特徴としている。
【０００８】
【発明の実施の形態】
以下、本発明の実施例を、図面を参照しながら詳細に説明する。
図１〜図４は、携帯無線機器の一態様である折り畳み式携帯電話機に、本発明を適用した一実施例を示している。
【０００９】
この携帯電話機１は、図示していないダイヤルキー等が設けられた本体側筐体(機器筐体)２と、図示していない液晶表示部等が設けられ且つ上記本体側筐体２に対して開閉自在に連結された蓋体側筐体(機器筐体)３とを具備している。
【００１０】
上記蓋体側筐体３は、互いに組み付けられた正面ケース４および背面ケース５と、該背面ケース５の外表面に取り付けられた化粧板６とを有しており、上記蓋体側筐体３の内部には回路基板７が収容設置されているとともに、この回路基板７には背面ケース５に臨む態様で内蔵アンテナ８が実装されている。
【００１１】
上記蓋体側筐体３を構成する化粧板６の外表面には、化粧フィルム１０が周知のインモールド成形により一体に成形されている。
この化粧フィルム１０は、カラーインク等の着色層１１と、金属蒸着箔から成る金属蒸着層１２とを有しており、着色層１１を外側に露呈させた態様で化粧板６の外表面に一体成形されている。
【００１２】
ここで、化粧板６の外表面に化粧フィルム１０がインモールド成形されていることにより、蓋体側筐体３の内部に収容設置されている内蔵アンテナ８は、上記化粧フィルム１０を構成する金属蒸着層１２によって覆われることとなる。
【００１３】
一方、上記化粧フィルム１０の金属蒸着層１２は、図４に示す如く、互いに連続することなく斑点状に集合した多数の点状箔部(点状層部)１２ａを有し、互いに隣接する点状箔部１２ａの間には、上述した内蔵アンテナ８に送受される電波の通過を許容する間隙１２ｂが設けられている。
【００１４】
ここで、上記金属蒸着層１２を構成する多数の点状箔部１２ａは、それぞれ同一の矩形状を呈し且つ等しい間隔で縦横に配列されており、点状箔部１２ａの間に設けられた間隙１２ｂは格子状を呈している。
【００１５】
なお、実施例の金属蒸着層１２において、各点状箔部１２ａは約０．８mm角の大きさに形成されており、１平方ｃｍ当たりでは約６０個の点状箔部１２ａが形成されている。
【００１６】
上述した構成の携帯電話機１では、蓋体側筐体３を構成する化粧板６の外表面に化粧フィルム１０をインモールド成形したことにより、上記化粧フィルム１０の着色層１１を介して金属蒸着層１２を透けて見せることで、輝度の高い金属光沢を備えた外観が得られることとなる。
【００１７】
また、上述した構成の携帯電話機１では、蓋体側筐体３に収容設置された内蔵アンテナ８が、化粧板６の外表面に一体成形された化粧フィルム１０の金属蒸着層１２によって覆われるものの、内蔵アンテナ８に送受される電波は金属蒸着層１２に設けられた間隙１２ｂを通過するため、送受信性能の低下を未然に防止することが可能となる。
【００１８】
言い換えれば、機器筐体３において内蔵アンテナ８を覆う領域であっても、金属光沢を備えた外観を得るための金属蒸着層１２を設けることができ、携帯電話機１の設計時におけるデザインの自由度が広がることとなる。
【００１９】
なお、上述した携帯電話機１においては、蓋体側筐体３を構成する化粧板６にのみ、金属蒸着層１２を有する化粧フィルム１０をインモールド成形しているが、蓋体側筐体３の外周面全体、更には本体側筐体２の外周面全体にも、化粧フィルム１０をインモールド成形し得ることは言うまでもない。
【００２０】
また、金属蒸着層１２における各点状箔部１２ａの大きさ(面積)や、隣接する点状箔部１２ａ同士の間隔等は、上述した実施例に限定されるものではなく、諸条件に基づいて任意に設定することが可能である。
【００２１】
また、金属蒸着層１２の単位面積当たりに間隙１２ｂの占める割合も、電波の通過程度、すなわち内蔵アンテナ８における送受信の状況に鑑みて、任意に設定し得ることは言うまでもない。
【００２２】
さらに、各点状箔部１２ａの大きさや、点状箔部１２ａ同士の間隔は、金属蒸着層１２の全域に亘って一律である必要はなく、金属蒸着層１２の場所毎に変化させる等、諸条件に基づいて任意に設定することも可能である。
【００２３】
また、実施例における化粧フィルム１０の金属蒸着層１２は、矩形状を呈する多数の点状箔部１２ａと、格子状を呈する間隙１２ｂとを有しているが、上記金属蒸着層の構成は上述した実施例のみに限定されるものではない。
【００２４】
図５は、化粧フィルムにおける金属蒸着層の他の実施例を示しており、該実施例における金属蒸着層１２′は、円形状を呈する多数の点状箔部(点状層部)１２ａ′が、互いに連続することなく斑点状に集合しているとともに、互いに隣接する点状箔部１２ａ′の間には、電波の通過を許容する間隙１２ｂ′が設けられている。
【００２５】
図６は、化粧フィルムにおける金属蒸着層の更に他の実施例を示しており、該実施例における金属蒸着層１２″は、直線状を呈する多数の線状箔部(線状層部)１２ａ″が、互いに連続することなく縞状に集合しているとともに、互いに隣接する線状箔部１２ａ″の間には、電波の通過を許容する間隙１２ｂ″が設けられている。
【００２６】
図４〜図６に示した如く、金属蒸着層の形状としては、極めて多様なパターンを採用することが可能であり、勿論、上述した各実施例に限定されるものでないことは言うまでもない。
【００２７】
また、上述した金属蒸着層１２′、１２″においても、点状箔部１２ａ′および線状箔部１２ａ″の大きさや、間隙１２ｂ′、１２ｂ″の形状等は、諸条件に基づいて任意に設定することが可能である。
【００２８】
したがって、金属蒸着層における箔部(点状箔部、線状箔部)の形状や大きさを変える、あるいは上記箔部のレイアウトに変化を持たせる等の工夫により、例えば魚鱗の如き金属光沢を有する等の、独特な外面仕上げを携帯電話機の外表面に施すことも可能となる。
【００２９】
なお、上述した各実施例では、金属蒸着層を有する化粧フィルムをインモールド成形することで、機器筐体の外表面に金属蒸着箔を設けている携帯電話機を例示したが、インモールド成形以外の方法で、機器筐体の外表面に金属蒸着箔を設けた携帯電話機に対しても、本発明が有効に適用されることは勿論である。
【００３０】
また、上述した実施例においては、携帯無線機器の一態様である折り畳み式携帯電話機に本発明を適用した例を示したが、極く一般的な構成の携帯電話機に対しても本発明を適用することは可能であり、さらにＰＤＡ（パーソナル・データ・アシスタンス）等、携帯電話機以外の様々な携帯無線機器に対しても、本発明を有効に適用し得ることは言うまでもない。
【００３１】
【発明の効果】
以上、詳述した如く、本発明に関わる電子機器筐体は、機器筐体に収容設置した内蔵アンテナを有するとともに、前記機器筐体の外表面における少なくとも前記内蔵アンテナを覆う領域に、着色層と金属蒸着層とを積層した化粧フィルムを設けて成る携帯無線機器であって、前記化粧フィルムにおける前記金属蒸着層に、前記内蔵アンテナに送受される電波の通過を許容する間隙を設けたことを特徴としている。
【００３２】
上述した構成によれば、機器筐体の外表面に設けられた化粧フィルムの金属蒸着層によって内蔵アンテナが覆われている状況であっても、上記内蔵アンテナに送受される電波は金属蒸着層に設けられた間隙を通過するために、携帯無線機器における送受信性能の低下を未然に防止することが可能となる。
【００３３】
したがって、本発明に関わる携帯無線機器によれば、機器筐体を化粧フィルムの金属蒸着層による金属光沢を備えた外面仕上げとしつつ、内蔵アンテナにおける送受信性能を十分に確保することが可能となる。
【図面の簡単な説明】
【図１】    本発明に関わる携帯無線機器の一実施例である携帯電話機を示す外観図。
【図２】    図１中の II−II 線断面図。
【図３】    図２中の要部を拡大して示す断面図。
【図４】    金属蒸着層の一実施例を示す要部拡大平面図。
【図５】    金属蒸着層の他の実施例を示す要部拡大平面図。
【図６】    金属蒸着層の更に他の実施例を示す要部拡大平面図。
【符号の説明】
１…携帯電話機(携帯無線機器)、
３…蓋体側筐体(機器筐体)、
４…正面ケース、
５…背面ケース、
６…化粧板、
１０…化粧フィルム、
１１…着色層、
１２…金属蒸着層、
１２ａ…点状箔部(点状層部)、
１２ｂ…間隙、
１２′…金属蒸着層、
１２ａ′…点状箔部(点状層部)、
１２ｂ′…間隙、
１２″…金属蒸着層、
１２ａ″…線状箔部(線状層部)、
１２ｂ″…間隙。
【図１】
0003842687.tif 000002
【図２】
0003842687.tif 000003
【図３】
0003842687.tif 000004
【図４】
0003842687.tif 000005
【図５】
0003842687.tif 000006
【図６】
0003842687.tif 000007